【誤訳訂正書】
【提出日】令和3年8月23日(2021.8.23)
【誤訳訂正１】
【訂正対象書類名】明細書
【訂正対象項目名】００１５
【訂正方法】変更
【訂正の内容】
【００１５】
好適には、突然変異体である植物体またはその一部は、（ｉｉ）または（ｉｉｉ）に記載されたポリヌクレオチド配列の各々の制御領域において、またはコード配列において、少なくとも一つの遺伝子改変を含み、好適には、突然変異にはミスセンス突然変異またはナンセンス突然変異が備わる。好適には、突然変異体である植物体またはその一部は、以下の突然変異：配列番号３に記載された非突然変異配列によってコードされるＨＭＡポリペプチドのＡドメインループにおけるアミノ酸位置に対応する位置での少なくとも一つの突然変異、および配列番号４に記載された非突然変異配列によってコードされるＨＭＡポリペプチドのＰ／Ｎドメインループにおけるアミノ酸位置に対応する位置での少なくとも一つの突然変異；；好適には、配列番号３に記載された非突然変異配列によってコードされるＨＭＡポリペプチドのＡドメインループのアミノ酸位置２５１〜２９６に対応する位置での少なくとも一つの突然変異、および配列番号４に記載された非突然変異配列によってコードされるＨＭＡポリペプチドのＰ／Ｎドメインループのアミノ酸位置５６１に対応する位置での少なくとも一つの突然変異、好適には、配列番号３に記載された非突然変異配列によってコードされるＨＭＡポリペプチドのＡドメインループのアミノ酸位置２５１または２９３または２９６に対応する位置での少なくとも一つの突然変異、および配列番号４に記載された非突然変異配列によってコードされるＨＭＡポリペプチドのＰ／Ｎドメインループのアミノ酸位置５６１に対応する位置での少なくとも一つの突然変異；配列番号３に記載された非突然変異配列によってコードされるＨＭＡポリペプチドのＡドメインループにおけるアミノ酸位置に対応する位置での少なくとも一つの突然変異、および配列番号４に記載された非突然変異配列によってコードされるＨＭＡポリペプチドのＡドメインループにおけるアミノ酸位置に対応する位置での少なくとも一つの突然変異；好適には、配列番号３に記載された非突然変異配列によってコードされるＨＭＡポリペプチドのＡドメインループのアミノ酸位置２９３に対応する位置での少なくとも一つの突然変異、および配列番号４に記載された非突然変異配列によってコードされるＨＭＡポリペプチドのＡドメインループのアミノ酸位置２２３〜２６５に対応する位置での少なくとも一つの突然変異であり、好適には、そこで、該植物体は、配列番号３に記載された非突然変異配列によってコードされるＨＭＡポリペプチドのＡドメインループのアミノ酸位置２９３に対応する位置での少なくとも一つの突然変異、および配列番号４に記載された非突然変異配列によってコードされるＨＭＡポリペプチドのＡドメインループのアミノ酸位置２２３または２３４または２３５または２６５に対応する位置での少なくとも一つの突然変異を含み；配列番号３に記載された非突然変異配列によってコードされるＨＭＡポリペプチドのＰ／Ｎドメインループにおけるアミノ酸位置に対応する位置での少なくとも一つの突然変異、および配列番号４に記載された非突然変異配列によってコードされるＨＭＡポリペプチドのＰ／Ｎドメインループにおけるアミノ酸位置に対応する位置での少なくとも一つの突然変異、好適には、配列番号３に記載された非突然変異配列によってコードされるＨＭＡポリペプチドの第三ループＰ／Ｎドメインのアミノ酸位置４０２〜４６４に対応する位置での少なくとも一つの突然変異、および配列番号４に記載された非突然変異配列によってコードされるＨＭＡポリペプチドのＰ／Ｎドメインループのアミノ酸位置５６１に対応する位置での少なくとも一つの突然変異である。該突然変異体である植物体またはその一部が、配列番号３に記載された非突然変異配列によってコードされるＨＭＡポリペプチドの第三ループＰ／Ｎドメインのアミノ酸位置４０２または４６４に対応する位置での少なくとも一つの突然変異、および配列番号４に記載された非突然変異配列によってコードされるＨＭＡポリペプチドのＰ／Ｎドメインループのアミノ酸位置５６１に対応する位置での少なくとも一つの突然変異を含み；配列番号３に記載された非突然変異配列によってコードされるＨＭＡポリペプチドのＰ／Ｎドメインループにおけるアミノ酸位置に対応する位置での少なくとも一つの突然変異、および配列番号４に記載された非突然変異配列によってコードされるＨＭＡポリペプチドのＡドメインループにおけるアミノ酸位置に対応する位置での少なくとも一つの突然変異、好適には、配列番号３に記載された非突然変異配列によってコードされるＨＭＡポリペプチドのＰ／Ｎドメインループのアミノ酸位置４３８に対応する位置での少なくとも一つの突然変異、および配列番号４に記載された非突然変異配列によってコードされるＨＭＡポリペプチドのＡドメインループにおけるアミノ酸位置２６５での少なくとも一つの突然変異；配列番号３に記載された非突然変異配列によってコードされるＨＭＡポリペプチドのＰ／Ｎドメインの第三細胞質ループにおけるアミノ酸位置に対応する位置での少なくとも一つの突然変異、および配列番号４に記載された非突然変異配列によってコードされるＨＭＡポリペプチドのＡドメインループの第二細胞質ループにおけるアミノ酸位置に対応する位置での少なくとも一つの突然変異；好適には、配列番号３に記載された非突然変異配列によってコードされるＨＭＡポリペプチドのＰ／Ｎドメインの第三細胞質ループのアミノ酸位置４６４に対応する位置での少なくとも一つの突然変異、および配列番号４に記載された非突然変異配列によってコードされるＨＭＡポリペプチドのＡドメインループの第二細胞質ループのアミノ酸位置２６５、２２３、２３４、または２３５に対応する位置での少なくとも一つの突然変異；配列番号３に記載された非突然変異配列によってコードされるＨＭＡポリペプチドのＡドメインの第二細胞質ループにおけるアミノ酸位置に対応する位置での少なくとも一つの突然変異、および配列番号４に記載された非突然変異配列によってコードされるＨＭＡポリペプチドのＡドメインループの第二細胞質ループにおけるアミノ酸位置に対応する位置での少なくとも一つの突然変異；好適には、配列番号３に記載された非突然変異配列のＡドメインの第二細胞質ループのアミノ酸位置２９６に対応する位置での少なくとも一つの突然変異、および配列番号４に記載された非突然変異配列によってコードされるＨＭＡポリペプチドのＡドメインループの第二細胞質ループのアミノ酸位置２６５、２２３、２３４、または２３５に対応する位置での少なくとも一つの突然変異；配列番号３に記載された非突然変異配列のＰ／Ｎドメインの第三細胞質ループにおけるアミノ酸位置に対応する位置での少なくとも一つの突然変異、および配列番号４に記載された非突然変異配列によってコードされるＨＭＡポリペプチドのＡドメインループの第二細胞質ループにおけるアミノ酸位置に対応する位置での少なくとも一つの突然変異；好適には、配列番号３に記載された非突然変異配列のＰ／Ｎドメインの第三細胞質ループのアミノ酸位置４０２に対応する位置での少なくとも一つの突然変異、および配列番号４に記載された非突然変異配列によってコードされるＨＭＡポリペプチドのＡドメインループの第二細胞質ループのアミノ酸位置２６５、２２３、２３４、または２３５に対応する位置での少なくとも一つの突然変異；配列番号３に記載された非突然変異配列のＡドメインループの第二細胞質ループにおけるアミノ酸位置に対応する位置での少なくとも一つの突然変異、および配列番号４に記載された非突然変異配列によってコードされるＨＭＡポリペプチドのＡドメインループの第二細胞質ループにおけるアミノ酸位置に対応する位置での少なくとも一つの突然変異；好適には、配列番号３に記載された非突然変異配列のＡドメインループの第二細胞質ループのアミノ酸位置２５１に対応する位置での少なくとも一つの突然変異、および配列番号４に記載された非突然変異配列によってコードされるＨＭＡポリペプチドのＡドメインループの第二細胞質ループのアミノ酸位置２６５、２２３、２３４、または２３５に対応する位置での少なくとも一つの突然変異；配列番号３に記載された非突然変異配列のＰ／Ｎドメインの第三細胞質ループの第二細胞質ループにおけるアミノ酸位置に対応する位置での少なくとも一つの突然変異、および配列番号４に記載された非突然変異配列によってコードされるＨＭＡポリペプチドのＡドメインループのＰ／Ｎドメイン第二細胞質ループの第三細胞質ループにおけるアミノ酸位置に対応する位置での少なくとも一つの突然変異；好適には、配列番号３に記載された非突然変異配列のＰ／Ｎドメインの第三細胞質ループのアミノ酸位置４３８に対応する位置での少なくとも一つの突然変異、および配列番号４に記載された非突然変異配列によってコードされるＨＭＡポリペプチドのＡドメインループの第二細胞質ループのアミノ酸位置２６５、２２３、２３４、または２３５に対応する位置での少なくとも一つの突然変異；配列番号４に記載された非突然変異配列によってコードされるＨＭＡポリペプチドのＡドメインループにおけるアミノ酸位置に対応する位置での少なくとも一つの突然変異、および配列番号３に記載された非突然変異配列によってコードされるＨＭＡポリペプチドのＰ／Ｎドメインループにおけるアミノ酸位置に対応する位置での少なくとも一つの突然変異；好適には、配列番号４に記載された非突然変異配列によってコードされるＨＭＡポリペプチドのＡドメインループのアミノ酸位置２５１〜２９６に対応する位置での少なくとも一つの突然変異、および配列番号３に記載された非突然変異配列によってコードされるＨＭＡポリペプチドのＰ／Ｎドメインループのアミノ酸位置５６１に対応する位置での少なくとも一つの突然変異、好適には、配列番号４に記載された非突然変異配列によってコードされるＨＭＡポリペプチドのＡドメインループのアミノ酸位置２５１または２９３または２９６に対応する位置での少なくとも一つの突然変異、および配列番号３に記載された非突然変異配列によってコードされるＨＭＡポリペプチドのＰ／Ｎドメインループのアミノ酸位置５６１に対応する位置での少なくとも一つの突然変異；配列番号４に記載された非突然変異配列によってコードされるＨＭＡポリペプチドのＡドメインループにおけるアミノ酸位置に対応する位置での少なくとも一つの突然変；異、および配列番号３に記載された非突然変異配列によってコードされるＨＭＡポリペプチドのＡドメインループにおけるアミノ酸位置に対応する位置での少なくとも一つの突然変異；好適には、配列番号４に記載された非突然変異配列によってコードされるＨＭＡポリペプチドのＡドメインループのアミノ酸位置２９３に対応する位置での少なくとも一つの突然変異、および配列番号３に記載された非突然変異配列によってコードされるＨＭＡポリペプチドのＡドメインループのアミノ酸位置２２３〜２６５に対応する位置での少なくとも一つの突然変異であり、好適には、そこで、該植物体は、配列番号４に記載された非突然変異配列によってコードされるＨＭＡポリペプチドのＡドメインループのアミノ酸位置２９３に対応する位置での少なくとも一つの突然変異、および配列番号３に記載された非突然変異配列によってコードされるＨＭＡポリペプチドのＡドメインループのアミノ酸位置２２３または２３４または２３５または２６５に対応する位置での少なくとも一つの突然変異を含み；配列番号４に記載された非突然変異配列によってコードされるＨＭＡポリペプチドのＰ／Ｎドメインループにおけるアミノ酸位置に対応する位置での少なくとも一つの突然変異、および配列番号３に記載された非突然変異配列によってコードされるＨＭＡポリペプチドのＰ／Ｎドメインループにおけるアミノ酸位置に対応する位置での少なくとも一つの突然変異、好適には、配列番号４に記載された非突然変異配列によってコードされるＨＭＡポリペプチドの第三ループＰ／Ｎドメインのアミノ酸位置４０２〜４６４に対応する位置での少なくとも一つの突然変異、および配列番号３に記載された非突然変異配列に
よってコードされるＨＭＡポリペプチドのＰ／Ｎドメインループのアミノ酸位置５６１に対応する位置での少なくとも一つの突然変異；好適には、配列番号４に記載された非突然変異配列によってコードされるＨＭＡポリペプチドの第三ループＰ／Ｎドメインのアミノ酸位置４０２または４６４に対応する位置での少なくとも一つの突然変異、および配列番号３に記載された非突然変異配列によってコードされるＨＭＡポリペプチドのＰ／Ｎドメインループのアミノ酸位置５６１に対応する位置での少なくとも一つの突然変異；配列番号４に記載された非突然変異配列によってコードされるＨＭＡポリペプチドのＰ／Ｎドメインループにおけるアミノ酸位置に対応する位置での少なくとも一つの突然変異、；および配列番号３に記載された非突然変異配列によってコードされるＨＭＡポリペプチドのＡドメインループにおけるアミノ酸位置に対応する位置での少なくとも一つの突然変異、好適には、配列番号４に記載された非突然変異配列によってコードされるＨＭＡポリペプチドのＰ／Ｎドメインループのアミノ酸位置４３８に対応する位置での少なくとも一つの突然変異、および配列番号３に記載された非突然変異配列によってコードされるＨＭＡポリペプチドのＡドメインループにおけるアミノ酸位置２６５に対応する少なくとも一つの突然変異；配列番号４に記載された非突然変異配列によってコードされるＨＭＡポリペプチドのＰ／Ｎドメインの第三細胞質ループにおけるアミノ酸位置に対応する位置での少なくとも一つの突然変異、および配列番号３に記載された非突然変異配列によってコードされるＨＭＡポリペプチドのＡドメインループの第二細胞質ループにおけるアミノ酸位置に対応する位置での少なくとも一つの突然変異；好適には、配列番号４に記載された非突然変異配列によってコードされるＨＭＡポリペプチドのＰ／Ｎドメインの第三細胞質ループのアミノ酸位置４６４に対応する位置での少なくとも一つの突然変異、および配列番号３に記載された非突然変異配列によってコードされるＨＭＡポリペプチドのＡドメインループの第二細胞質ループのアミノ酸位置２６５、２２３、２３４、または２３５に対応する位置での少なくとも一つの突然変異；配列番号４に記載された非突然変異配列によってコードされるＨＭＡポリペプチドのＡドメインの第二細胞質ループにおけるアミノ酸位置に対応する位置での少なくとも一つの突然変異、および配列番号３に記載された非突然変異配列によってコードされるＨＭＡポリペプチドのＡドメインループの第二細胞質ループにおけるアミノ酸位置に対応する位置での少なくとも一つの突然変異、好適には、配列番号４に記載された非突然変異配列のＡドメインの第二細胞質ループのアミノ酸位置２９６に対応する位置での少なくとも一つの突然変異、および配列番号３に記載された非突然変異配列によってコードされるＨＭＡポリペプチドのＡドメインループの第二細胞質ループのアミノ酸位置２６５、２２３、２３４、または２３５に対応する位置での少なくとも一つの突然変異；配列番号４に記載された非突然変異配列のＰ／Ｎドメインの第三細胞質ループにおけるアミノ酸位置に対応する位置での少なくとも一つの突然変異、および配列番号３に記載された非突然変異配列によってコードされるＨＭＡポリペプチドのＡドメインループの第二細胞質ループにおけるアミノ酸位置に対応する位置での少なくとも一つの突然変異；好適には、配列番号４に記載された非突然変異配列のＰ／Ｎドメインの第三細胞質ループのアミノ酸位置４０２に対応する位置での少なくとも一つの突然変異、および配列番号３に記載された非突然変異配列によってコードされるＨＭＡポリペプチドのＡドメインループの第二細胞質ループのアミノ酸位置２６５、２２３、２３４、または２３５に対応する位置での少なくとも一つの突然変異；配列番号４に記載された非突然変異配列のＡドメインループの第二細胞質ループにおけるアミノ酸位置に対応する位置での少なくとも一つの突然変異、および配列番号３に記載された非突然変異配列によってコードされるＨＭＡポリペプチドのＡドメインループの第二細胞質ループにおけるアミノ酸位置に対応する位置での少なくとも一つの突然変異；好適には、配列番号４に記載された非突然変異配列のＡドメインループの第二細胞質ループのアミノ酸位置２５１に対応する位置での少なくとも一つの突然変異、および配列番号３に記載された非突然変異配列によってコードされるＨＭＡポリペプチドのＡドメインループの第二細胞質ループのアミノ酸位置２６５、２２３、２３４、または２３５に対応する位置での少なくとも一つの突然変異；ならびに、配列番号４に記載された非突然変異配列のＰ／Ｎドメインの第三細胞質ループの第二細胞質ループにおけるアミノ酸位置に対応する位置での少なくとも一つの突然変異、および配列番号３に記載された非突然変異配列によってコードされるＨＭＡポリペプチドのＡドメインループのＰ／Ｎドメイン第二細胞質ループの第三細胞質ループにおけるアミノ酸位置に対応する位置での少なくとも一つの突然変異；好適には、配列番号４に記載された非突然変異配列のＰ／Ｎドメインの第三細胞質ループのアミノ酸位置４３８に対応する位置での少なくとも一つの突然変異、および配列番号３に記載された非突然変異配列によってコードされるＨＭＡポリペプチドのＡドメインループの第二細胞質ループのアミノ酸位置２６５、２２３、２３４、または２３５に対応する位置での少なくとも一つの突然変異、のうちの一つ以上を含む。
好適には、突然変異体である植物体またはその一部は、以下の突然変異のうちの一つ以上を含む：配列番号１のアミノ酸位置２９３に対応する位置でのナンセンス突然変異、および配列番号２に記載された非突然変異配列のアミノ酸位置５６１に対応する位置でのナンセンス突然変異、好適には、そこで、該突然変異はＱ２９３＊およびＱ５６１＊であり、＊は終止コドンを表し；配列番号１のアミノ酸位置２９３に対応する位置でのナンセンス突然変異、および配列番号２に記載された非突然変異配列のアミノ酸位置２６５に対応する位置でのナンセンス突然変異、好適には、そこで、該突然変異はＱ２９３＊およびＷ２６５＊であり、＊は終止コドンを表し；配列番号１のアミノ酸位置２９６に対応する位置でのミスセンス突然変異、および配列番号２に記載された非突然変異配列のアミノ酸位置５６１に対応する位置でのナンセンス突然変異、好適には、そこで、該突然変異はＥ２９６ＫおよびＱ５６１＊であり、＊は終止コドンを表し；配列番号１のアミノ酸位置４０２に対応する位置でのミスセンス突然変異、および配列番号２に記載された非突然変異配列のアミノ酸位置５６１に対応する位置でのナンセンス突然変異、好適には、そこで、該突然変異はＴ４０２ＩおよびＱ５６１＊であり、＊は終止コドンを表し；配列番号１のアミノ酸位置２５１に対応する位置でのミスセンス突然変異、および配列番号２に記載された非突然変異配列のアミノ酸位置５６１に対応する位置でのナンセンス突然変異、好適には、そこで、該突然変異はＧ２５１ＤおよびＱ５６１＊であり、＊は終止コドンを表し；配列番号１のアミノ酸位置４６４に対応する位置でのナンセンス突然変異、および配列番号２に記載された非突然変異配列のアミノ酸位置５６１に対応する位置でのナンセンス突然変異、好適には、そこで、該突然変異はＧ２５１ＤおよびＱ５６１＊であり、＊は終止コドンを表し；配列番号１のアミノ酸位置２９３に対応する位置でのナンセンス突然変異、および配列番号２に記載された非突然変異配列のアミノ酸位置２２３に対応する位置でのミスセンス突然変異、好適には、そこで、該突然変異はＱ２９３＊およびＬ２２３Ｆであり、＊は終止コドンを表し；配列番号１のアミノ酸位置２９３に対応する位置でのナンセンス突然変異、および配列番号２に記載された非突然変異配列のアミノ酸位置２３４に対応する位置でのミスセンス突然変異、好適には、そこで、該突然変異はＱ２９３＊およびＤ２３４Ｎであり、＊は終止コドンを表し；配列番号１のアミノ酸位置２９３に対応する位置でのナンセンス突然変異、および配列番号２に記載された非突然変異配列のアミノ酸位置２３５に対応する位置でのミスセンス突然変異、好適には、そこで、該突然変異はＱ２９３＊およびＧ２３５Ｅであり、＊は終止コドンを表し；配列番号１のアミノ酸位置４３８に対応する位置でのミスセンス突然変異、および配列番号２に記載された非突然変異配列のアミノ酸位置２６５に対応する位置でのナンセンス突然変異、好適には、そこで、該突然変異はＨ４３８ＹおよびＷ２６５＊であり、＊は終止コドンを表し；配列番号１のアミノ酸位置４６４に対応する位置でのナンセンス突然変異、および配列番号２のアミノ酸位置２６５に対応する位置でのナンセンス突然変異、好適には、そこで、該突然変異はＱ４６４＊およびＷ２６５＊＊であり、＊は終止コドンを表し；配列番号１のアミノ酸位置４６４に対応する位置でのナンセンス突然変異、および配列番号２のアミノ酸位置２２３に対応する位置でのミスセンス突然変異、好適には、そこで、該突然変異はＱ４６４＊およびＬ２２３Ｆであり、＊は終止コドンを表し；配列番号１のアミノ酸位置４６４に対応する位置でのナンセンス突然変異、および配列番号２のアミノ酸位置２３４に対応する位置でのミスセンス突然変異、好適には、そこで、該突然変異はＱ４６４＊およびＤ２３４Ｎであり、＊は終止コドンを表し；配列番号１のアミノ酸位置４６４に対応する位置でのナンセンス突然変異、および配列番号２のアミノ酸位置２３５に対応する位置でのミスセンス突然変異、好適には、そこで、該突然変異はＱ４６４＊およびＧ２３５Ｅであり、＊は終止コドンを表し；配列番号１のアミノ酸位置２９６に対応する位置でのミスセンス突然変異、および配列番号２のアミノ酸位置２６５に対応する位置でのナンセンス突然変異、好適には、そこで、該突然変異はＥ２９６ＫおよびＷ２６５＊であり、＊は終止コドンを表し；配列番号１のアミノ酸位置２９６に対応する位置でのミスセンス突然変異、および配列番号２のアミノ酸位置２２３に対応する位置でのミスセンス突然変異、好適には、そこで、該突然変異はＥ２９６ＫおよびＬ２２３Ｆであり；配列番号１のアミノ酸位置２９６に対応する位置でのミスセンス突然変異、および配列番号２のアミノ酸位置２３４に対応する位置でのミスセンス突然変異、好適には、そこで、該突然変異はＥ２９６ＫおよびＤ２３４Ｎであり、＊は終止コドンを表し；または、配列番号１のアミノ酸位置２９６に対応する位置でのミスセンス突然変異、および配列番号２のアミノ酸位置２３５に対応する位置でのミスセンス突然変異、好適には、そこで、該突然変異はＥ２９６ＫおよびＧ２３５Ｅであり；配列番号１のアミノ酸位置４０２に対応する位置でのミスセンス突然変異、および配列番号２のアミノ酸位置２６５に対応する位置でのナンセンス突然変異、好適には、そこで、該突然変異はＴ４０２ＩおよびＷ２６５＊であり、＊は終止コドンを表し；配列番号１のアミノ酸位置４０２に対応する位置でのミスセンス突然変異、および配列番号２のアミノ酸位置２２３に対応する位置でのミスセンス突然変異、好適には、そこで、該突然変異はＴ４０２ＩおよびＬ２２３Ｆであり；配列番号１のアミノ酸位置４０２に対応する位置でのミスセンス突然変異、および配列番号２のアミノ酸位置２３４に対応する位置でのミスセンス突然変異、好適には、そこで、該突然変異はＴ４０２ＩおよびＤ２３４Ｎであり；配列番号１のアミノ酸位置４０２に対応する位置でのミスセンス突然変異、および配列番号２のアミノ酸位置２３５に対応する位置でのミスセンス突然変異、好適には、そこで、該突然変異はＴ４０２ＩおよびＧ２３５Ｅであり；配列番号１のアミノ酸位置２５１に対応する位置でのミスセンス突然変異、および配列番号２のアミノ酸位置２６５に対応する位置でのナンセンス突然変異、好適には、そこで、該突然変異はＧ２５１ＤおよびＷ２６５＊であり、＊は終止コドンを表し；または、配列番号１のアミノ酸位置２５１に対応する位置でのミスセンス突然変異、および配列番号２のアミノ酸位置２２３に対応する位置でのミスセンス突然変異、好適には、そこで、該突然変異はＧ２５１ＤおよびＬ２２３Ｆであり；配列番号１のアミノ酸位置２５１に対応する位置でのミスセンス突然変異、および配列番号２のアミノ酸位置２３４に対応する位置でのミスセンス突然変異、好適には、そこで、該突然変異はＧ２５１ＤおよびＤ２３４Ｎであり；配列番号１のアミノ酸位置２５１に対応する位置でのミスセンス突然変異、および配列番号２のアミノ酸位置２３５に対応する位置でのミスセンス突然変異、好適には、そこで、該突然変異はＧ２５１ＤおよびＧ２３５Ｅであり；配列番号１のアミノ酸位置４３８に対応する位置でのミスセンス突然変異、および配列番号２のアミノ酸位置５６１に対応する位置でのナンセンス突然変異、好適には、そこで、該突然変異はＨ４３８ＹおよびＱ５６１＊であり、＊は終止コドンを表し；配列番号１のアミノ酸位置４３８に対応する位置でのミスセンス突然変異、および配列番号２のアミノ酸位置２２３に対応する位置でのミスセンス突然変異、好適には、そこで、該突然変異はＨ４３８ＹおよびＬ２２３Ｆであり、＊は終止コドンを表し；配列番号１のアミノ酸位置４３８に対応する位置でのミスセンス突然変異、および配列番号２のアミノ酸位置２３４に対応する位置でのミスセンス突然変異、好適には、そこで、該突然変異はＨ４３８ＹおよびＤ２３４Ｎであり、＊は終止コドンを表し；配列番号１のアミノ酸位置４３８に対応する位置でのミスセンス突然変異、および配列番号２のアミノ酸位置２３５に対応する位置でのミスセンス突然変異、好適には、そこで、該突然変異はＨ４３８ＹおよびＧ２３５Ｅであり、＊は終止コドンを表し；配列番号２のアミノ酸位置２９３に対応する位置でのナンセンス突然変異、および配列番号１に記載された非突然変異配列のアミノ酸位置５６１に対応する位置でのナンセンス突然変異、好適には、そこで、該突然変異はＱ２９３＊およびＱ５６１＊であり、＊は終止コドンを表し；配列番号２のアミノ酸位置２９３に対応する位置でのナンセンス突然変異、および配列番号１に記載された非突然変異配列のアミノ酸位置２６５に対応する位置でのナンセンス突然変異、好適には、そこで、該突然変異はＱ２９３＊およびＷ２６５＊であり、＊は終止コドンを表し；配列番号２のアミノ酸位置２９６に対応する位置でのミスセンス突然変異、および配列番号１に記載された非突然変異配列のアミノ酸位置５６１に対応する位置でのナンセンス突然変異、好適には、そこで、該突然変異はＥ２９６ＫおよびＱ５６１＊であり、＊は終止コドンを表し；配列番号２のアミノ酸位置４０２に対応する位置でのミスセンス突然変異、および配列番号１に記載された非突然変異配列のアミノ酸位置５６１に対応する位置でのナンセンス突然変異、好適には、そこで、該突然変異はＴ４０２ＩおよびＱ５６１＊であり、＊は終止コドンを表し；配列番号２のアミノ酸位置２５１に対応する位置でのミスセンス突然変異、および配列番号１に記載された非突然変異配列のアミノ酸位置５６１に対応する位置でのナンセンス突然変異、好適には、そこで、該突然変異はＧ２５１ＤおよびＱ５６１＊であり、＊は終止コドンを表し；配列番号２のアミノ酸位置４６４に対応する位置でのナンセンス突然変異、および配列番号１に記載された非突然変異配列のアミノ酸位置５６１に対応する位置でのナンセンス突然変異、好適には、そこで、該突然変異はＧ２５１ＤおよびＱ５６１＊であり、＊は終止コドンを表し；配列番号２のアミノ酸位置２９３に対応する位置でのナンセンス突然変異、および配列番号１に記載された非突然変異配列のアミノ酸位置２２３に対応する位置でのミスセンス突然変異、好適には、そこで、該突然変異はＱ２９３＊およびＬ２２３Ｆ  であり、＊は終止コドンを表し；配列番号２のアミノ酸位置２９３に対応する位置でのナンセンス突然変異、および配列番号１に記載された非突然変異配列のアミノ酸位置２３４に対応する位置でのミスセンス突然変異、好適には、そこで、該突然変異はＱ２９３＊およびＤ２３４Ｎであり、＊は終止コドンを表し；配列番号２のアミノ酸位置２９３に対応する位置でのナンセンス突然変異、および配列番号１に記載された非突然変異配列のアミノ酸位置２３５に対応する位置でのミスセンス突然変異、好適には、そこで、該突然変異はＱ２９３＊およびＧ２３５Ｅであり、＊は終止コドンを表し；配列番号２のアミノ酸位置４３８に対応する位置でのミスセンス突然変異、および配列番号１に記載された非突然変異配列のアミノ酸位置２６５に対応する位置でのナンセンス突然変異、好適には、そこで、該突然変異はＨ４３８ＹおよびＷ２６５＊であり、＊は終止コドンを表し；配列番号２のアミノ酸位置４６４に対応する位置でのナンセンス突然変異、および配列番号１のアミノ酸位置２６５に対応する位置でのナンセンス突然変異、好適には、そこで、該突然変異はＱ４６４＊およびＷ２６５＊＊であり、＊は終止コドンを表し；配列番号２のアミノ酸位置４６４に対応する位置でのナンセンス突然変異、および配列番号１のアミノ酸位置２２３に対応する位置でのミスセンス突然変異、好適には、そこで、該突然変異はＱ４６４＊およびＬ２２３Ｆであり、＊は終止コドンを表し；配列番号２のアミノ酸位置４６４に対応する位置でのナンセンス突然変異、および配列番号１のアミノ酸位置２３４に対応する位置でのミスセンス突然変異、好適には、そこで、該突然変異はＱ４６４＊およびＤ２３４Ｎであり、＊は
終止コドンを表し；配列番号２のアミノ酸位置４６４に対応する位置でのナンセンス突然変異、および配列番号１のアミノ酸位置２３５に対応する位置でのミスセンス突然変異、好適には、そこで、該突然変異はＱ４６４＊およびＧ２３５Ｅであり、＊は終止コドンを表し；配列番号２のアミノ酸位置２９６に対応する位置でのミスセンス突然変異、および配列番号１のアミノ酸位置２６５に対応する位置でのナンセンス突然変異、好適には、そこで、該突然変異はＥ２９６ＫおよびＷ２６５＊であり、＊は終止コドンを表し；配列番号２のアミノ酸位置２９６に対応する位置でのミスセンス突然変異、および配列番号１のアミノ酸位置２２３に対応する位置でのミスセンス突然変異、好適には、そこで、該突然変異はＥ２９６ＫおよびＬ２２３Ｆであり；配列番号２のアミノ酸位置２９６に対応する位置でのミスセンス突然変異、および配列番号１のアミノ酸位置２３４に対応する位置でのミスセンス突然変異、好適には、そこで、該突然変異はＥ２９６ＫおよびＤ２３４Ｎであり、＊は終止コドンを表し；配列番号２のアミノ酸位置２９６に対応する位置でのミスセンス突然変異、および配列番号１のアミノ酸位置２３５に対応する位置でのミスセンス突然変異、好適には、そこで、該突然変異はＥ２９６ＫおよびＧ２３５Ｅであり；配列番号２のアミノ酸位置４０２に対応する位置でのミスセンス突然変異、および配列番号１のアミノ酸位置２６５に対応する位置でのナンセンス突然変異、好適には、そこで、該突然変異はＴ４０２ＩおよびＷ２６５＊であり、＊は終止コドンを表し；配列番号２のアミノ酸位置４０２に対応する位置でのミスセンス突然変異、および配列番号１のアミノ酸位置２２３に対応する位置でのミスセンス突然変異、好適には、そこで、該突然変異はＴ４０２ＩおよびＬ２２３Ｆであり；配列番号２のアミノ酸位置４０２に対応する位置でのミスセンス突然変異、および配列番号１のアミノ酸位置２３４に対応する位置でのミスセンス突然変異、好適には、そこで、該突然変異はＴ４０２ＩおよびＤ２３４Ｎであり；配列番号２のアミノ酸位置４０２に対応する位置でのミスセンス突然変異、および配列番号１のアミノ酸位置２３５に対応する位置でのミスセンス突然変異、好適には、そこで、該突然変異はＴ４０２ＩおよびＧ２３５Ｅであり；配列番号２のアミノ酸位置２５１に対応する位置でのミスセンス突然変異、および配列番号１のアミノ酸位置２６５に対応する位置でのナンセンス突然変異、好適には、そこで、該突然変異はＧ２５１ＤおよびＷ２６５＊であり、＊は終止コドンを表し；配列番号２のアミノ酸位置２５１に対応する位置でのミスセンス突然変異、および配列番号１のアミノ酸位置２２３に対応する位置でのミスセンス突然変異、好適には、そこで、該突然変異はＧ２５１ＤおよびＬ２２３Ｆであり；配列番号２のアミノ酸位置２５１に対応する位置でのミスセンス突然変異、および配列番号１のアミノ酸位置２３４に対応する位置でのミスセンス突然変異、好適には、そこで、該突然変異はＧ２５１ＤおよびＤ２３４Ｎであり；配列番号２のアミノ酸位置２５１に対応する位置でのミスセンス突然変異、および配列番号１のアミノ酸位置２３５に対応する位置でのミスセンス突然変異、好適には、そこで、該突然変異はＧ２５１ＤおよびＧ２３５Ｅであり；配列番号２のアミノ酸位置４３８に対応する位置でのミスセンス突然変異、および配列番号１のアミノ酸位置５６１に対応する位置でのナンセンス突然変異、好適には、そこで、該突然変異はＨ４３８ＹおよびＱ５６１＊であり、＊は終止コドンを表し；配列番号２のアミノ酸位置４３８に対応する位置でのミスセンス突然変異、および配列番号１のアミノ酸位置２２３に対応する位置でのミスセンス突然変異、好適には、そこで、該突然変異はＨ４３８ＹおよびＬ２２３Ｆであり、＊は終止コドンを表し；配列番号２のアミノ酸位置４３８に対応する位置でのミスセンス突然変異、および配列番号１のアミノ酸位置２３４に対応する位置でのミスセンス突然変異、好適には、そこで、該突然変異はＨ４３８ＹおよびＤ２３４Ｎであり、＊は終止コドンを表し；配列番号２のアミノ酸位置４３８に対応する位置でのミスセンス突然変異、および配列番号１のアミノ酸位置２３５に対応する位置でのミスセンス突然変異、好適には、そこで、該突然変異はＨ４３８ＹおよびＧ２３５Ｅであり、＊は終止コドンである。
【誤訳訂正２】
【訂正対象書類名】明細書
【訂正対象項目名】００１８
【訂正方法】変更
【訂正の内容】
【００１８】
さらなる態様では、本明細書に記載されるように、突然変異体である植物体またはその一部由来の植物材料が開示されており、好適には、該植物材料は乾燥処理（キュアリング処理）された植物材料または乾燥済み植物材料であり、好適には、収穫時の該突然変異体である植物体またはその一部の表現型が、同一収穫時の対照植物体と同じであり、好適には、該突然変異体である植物体またはその一部が、収穫時に、同一収穫時の対照植物体に比べてバイオマス（例えば、葉重量）の減少を示さない。
【誤訳訂正３】
【訂正対象書類名】明細書
【訂正対象項目名】００８３
【訂正方法】変更
【訂正の内容】
【００８３】
好適には、ＨＭＡ４ポリペプチド変異体は、配列番号３によってコードされるＨＭＡポリペプチドのＡドメインにおけるアミノ酸位置に対応する位置での少なくとも一つの突然変異、および配列番号４によってコードされるＨＭＡポリペプチドのＰ／Ｎドメインループにおけるアミノ酸位置に対応する位置での少なくとも一つの突然変異を含みうる。
好適には、ＨＭＡ４ポリペプチド変異体は、配列番号４によってコードされるＨＭＡポリペプチドのＡドメインにおけるアミノ酸位置に対応する位置での少なくとも一つの突然変異、および配列番号３によってコードされるＨＭＡポリペプチドのＰ／Ｎドメインループにおけるアミノ酸位置に対応する位置での少なくとも一つの突然変異を含みうる。
さらに好適には、変異体は、配列番号３によってコードされるＨＭＡポリペプチドのＡドメインのアミノ酸位置２５１〜２９６に対応する位置での少なくとも一つの突然変異、および配列番号４によってコードされるＨＭＡポリペプチドのＰ／Ｎドメインループのアミノ酸位置５６１に対応する位置での少なくとも一つの突然変異を含む。
さらに好適には、変異体は、配列番号４によってコードされるＨＭＡポリペプチドのＡドメインのアミノ酸位置２５１〜２９６に対応する位置での少なくとも一つの突然変異、および配列番号３によってコードされるＨＭＡポリペプチドのＰ／Ｎドメインループのアミノ酸位置５６１に対応する位置での少なくとも一つの突然変異を含む。
さらに好適には、変異体は、配列番号３によってコードされるＨＭＡポリペプチドのＡドメインのアミノ酸位置２５１または２９３または２９６に対応する位置での少なくとも一つの突然変異、および配列番号４によってコードされるＨＭＡポリペプチドのＰ／Ｎドメインループのアミノ酸位置５６１に対応する位置での少なくとも一つの突然変異を含む。
さらに好適には、変異体は、配列番号４によってコードされるＨＭＡポリペプチドのＡドメインのアミノ酸位置２５１または２９３または２９６に対応する位置での少なくとも一つの突然変異、および配列番号３によってコードされるＨＭＡポリペプチドのＰ／Ｎドメインループのアミノ酸位置５６１に対応する位置での少なくとも一つの突然変異を含む。
好適には、植物体は、配列番号３によってコードされるＨＭＡポリペプチドのＡドメインにおけるアミノ酸位置に対応する位置での少なくとも一つの突然変異、および配列番号４によってコードされるＨＭＡポリペプチドのＡドメインにおけるアミノ酸位置に対応する位置での少なくとも一つの突然変異を含む。
好適には、植物体は、配列番号４によってコードされるＨＭＡポリペプチドのＡドメインにおけるアミノ酸位置に対応する位置での少なくとも一つの突然変異、および配列番号３によってコードされるＨＭＡポリペプチドのＡドメインにおけるアミノ酸位置に対応する位置での少なくとも一つの突然変異を含む。
さらに好適には、変異体は、配列番号３によってコードされるＨＭＡポリペプチドのＡドメインのアミノ酸位置２９３に対応する位置での少なくとも一つの突然変異、および配列番号４によってコードされるＨＭＡポリペプチドのＡドメインのアミノ酸位置２２３〜２６５に対応する位置での少なくとも一つの突然変異を含む。
さらに好適には、変異体は、配列番号４によってコードされるＨＭＡポリペプチドのＡドメインのアミノ酸位置２９３に対応する位置での少なくとも一つの突然変異、および配列番号３によってコードされるＨＭＡポリペプチドのＡドメインのアミノ酸位置２２３〜２６５に対応する位置での少なくとも一つの突然変異を含む。
さらに好適には、変異体は、配列番号３によってコードされるＨＭＡポリペプチドのＡドメインのアミノ酸位置２９３に対応する位置での少なくとも一つの突然変異、および配列番号４によってコードされるＨＭＡポリペプチドＡドメインのＮドメインのアミノ酸位置２２３、または２３４、または２３５、または２６５に対応する位置での少なくとも一つの突然変異を含む。
さらに好適には、変異体は、配列番号４によってコードされるＨＭＡポリペプチドのＡドメインのアミノ酸位置２９３に対応する位置での少なくとも一つの突然変異、および配列番号３によってコードされるＨＭＡポリペプチドＡドメインのＮドメインのアミノ酸位置２２３、または２３４、または２３５、または２６５に対応する位置での少なくとも一つの突然変異を含む。
好適には、変異体は、配列番号３によってコードされるＨＭＡポリペプチドのＰ／Ｎドメインループにおけるアミノ酸位置に対応する位置での少なくとも一つの突然変異、および配列番号４によってコードされるＨＭＡポリペプチドのＰ／Ｎドメインにおけるアミノ酸位置に対応する位置での少なくとも一つの突然変異を含む。
好適には、変異体は、配列番号４によってコードされるＨＭＡポリペプチドのＰ／Ｎドメインループにおけるアミノ酸位置に対応する位置での少なくとも一つの突然変異、および配列番号３によってコードされるＨＭＡポリペプチドのＰ／Ｎドメインにおけるアミノ酸位置に対応する位置での少なくとも一つの突然変異を含む。
さらに好適には、変異体は、配列番号３によってコードされるＨＭＡポリペプチドのＰ／Ｎドメインループのアミノ酸位置４０２〜４６４に対応する位置での少なくとも一つの突然変異、および配列番号４によってコードされるＨＭＡポリペプチドのＰ／Ｎドメインのアミノ酸位置５６１に対応する位置での少なくとも一つの突然変異を含む。
さらに好適には、変異体は、配列番号４によってコードされるＨＭＡポリペプチドのＰ／Ｎドメインループのアミノ酸位置４０２〜４６４に対応する位置での少なくとも一つの突然変異、および配列番号３によってコードされるＨＭＡポリペプチドのＰ／Ｎドメインのアミノ酸位置５６１に対応する位置での少なくとも一つの突然変異を含む。
さらに好適には、変異体は、配列番号３によってコードされるＨＭＡポリペプチドの第三ループＰドメインのアミノ酸位置４０２または４６４に対応する位置での少なくとも一つの突然変異、および配列番号４によってコードされるＨＭＡポリペプチドのＰ／Ｎドメインのアミノ酸位置５６１に対応する位置での少なくとも一つの突然変異を含む。
さらに好適には、変異体は、配列番号４によってコードされるＨＭＡポリペプチドの第三ループＰドメインのアミノ酸位置４０２または４６４に対応する位置での少なくとも一つの突然変異、および配列番号３によってコードされるＨＭＡポリペプチドのＰ／Ｎドメインのアミノ酸位置５６１に対応する位置での少なくとも一つの突然変異を含む。
好適には、変異体は、配列番号３によってコードされるＨＭＡポリペプチドのＰ／Ｎドメインループにおけるアミノ酸位置に対応する位置での少なくとも一つの突然変異、および配列番号４によってコードされるＨＭＡポリペプチドのＡドメインにおけるアミノ酸位置に対応する位置での少なくとも一つの突然変異を含む。
好適には、変異体は、配列番号４によってコードされるＨＭＡポリペプチドのＰ／Ｎドメインループにおけるアミノ酸位置に対応する位置での少なくとも一つの突然変異、および配列番号３によってコードされるＨＭＡポリペプチドのＡドメインにおけるアミノ酸位置に対応する位置での少なくとも一つの突然変異を含む。
さらに好適には、変異体は、配列番号３によってコードされるＰ／Ｎドメインループのアミノ酸位置４３８に対応する位置での少なくとも一つの突然変異、および配列番号４によってコードされるＨＭＡポリペプチドのＡドメインにおけるアミノ酸位置２６５での少なくとも一つの突然変異を含む。
さらに好適には、変異体は、配列番号４によってコードされるＰ／Ｎドメインループのアミノ酸位置４３８に対応する位置での少なくとも一つの突然変異、および配列番号３によってコードされるＨＭＡポリペプチドのＡドメインにおけるアミノ酸位置２６５での少なくとも一つの突然変異を含む。
好適には、変異体は、以下からなる群から選択される突然変異のうちの一つ以上を含む：（ｉ）配列番号１のアミノ酸位置２９３に対応する位置でのナンセンス突然変異、および配列番号２のアミノ酸位置５６１に対応する位置でのナンセンス突然変異、好適には、そこで、該突然変異はＱ２９３＊およびＱ５６１＊であり、＊は終止コドンを表し；（ｉｉ）配列番号１のアミノ酸位置２９３に対応する位置でのナンセンス突然変異、および配列番号２のアミノ酸位置２６５に対応する位置でのナンセンス突然変異、好適には、そこで、該突然変異はＱ２９３＊およびＷ２６５＊であり、＊は終止コドンを表し；（ｉｉｉ）配列番号１のアミノ酸位置２９６に対応する位置でのミスセンス突然変異、および配列番号２のアミノ酸位置５６１に対応する位置でのナンセンス突然変異、好適には、そこで、該突然変異はＥ２９６ＫおよびＱ５６１＊であり、＊は終止コドンを表し；（ｉｖ）配列番号１のアミノ酸位置４０２に対応する位置でのミスセンス突然変異、および配列番号２のアミノ酸位置５６１に対応する位置でのナンセンス突然変異、好適には、そこで、該突然変異はＴ４０２ＩおよびＱ５６１＊であり、＊は終止コドンを表し；（ｖ）配列番号１のアミノ酸位置２５１に対応する位置でのミスセンス突然変異、および配列番号２のアミノ酸位置５６１に対応する位置でのナンセンス突然変異、好適には、そこで、該突然変異はＧ２５１ＤおよびＱ５６１＊であり、＊は終止コドンを表し；（ｖｉ）配列番号１のアミノ酸位置４６４に対応する位置でのナンセンス突然変異、および配列番号２のアミノ酸位置５６１に対応する位置でのナンセンス突然変異、好適には、そこで、該突然変異はＱ４６４＊およびＱ５６１＊であり、＊は終止コドンを表し；（ｖｉｉ）配列番号１のアミノ酸位置２９３に対応する位置でのナンセンス突然変異、および配列番号２に記載された非突然変異配列のアミノ酸位置２２３に対応する位置でのミスセンス突然変異、好適には、そこで、該突然変異はＱ２９３＊およびＬ２２３Ｆであり、＊は終止コドンを表し；（ｖｉｉｉ）配列番号１のアミノ酸位置２９３に対応する位置でのナンセンス突然変異、および配列番号２に記載された非突然変異配列のアミノ酸位置２３４に対応する位置でのミスセンス突然変異、好適には、そこで、該突然変異はＱ２９３＊およびＤ２３４Ｎであり、＊は終止コドンを表し；（ｉｘ）配列番号１のアミノ酸位置２９３に対応する位置でのナンセンス突然変異、および配列番号２に記載された非突然変異配列のアミノ酸位置２３５に対応する位置でのミスセンス突然変異、好適には、そこで、該突然変異はＱ２９３＊およびＧ２３５Ｅであり、＊は終止コドンを表し；または、（ｘ）配列番号１のアミノ酸位置４３８に対応する位置でのミスセンス突然変異、および配列番号２に記載された非突然変異配列のアミノ酸位置２６５に対応する位置でのナンセンス突然変異、好適には、そこで、該突然変異はＨ４３８ＹおよびＷ２６５＊であり、＊は終止コドンを表す。